(57)【要約】【課題】遊技に使用する球を入れる皿装置の位置を下方にずらして人の手とヒンジとの接触防止を図る。【解決手段】フック部５７が、凸部３５の前側から挿入孔３８に挿入され、左右一対の係合片５６が互いに内側に撓み、フック部５７が挿入孔３８の内部に形成された図外の係合部に掛け止められるのに伴い、左右一対の係合片５６が互いに外側に復帰することによって、カバー３３が凸部３５に取り付けられ、カバー前壁５５の裏面が凸部３５の前面５８に接触して凸部３５の前面５８を全体的に覆い隠し、皿装置７が閉じられると、カバー３３が皿装置７の切欠部３２を塞ぎ、カバー３３の前面が皿装置７における斜面および前面のそれぞれに連続した１つの面を構成する。【選択図】図１
2005348787.tif 000002
【特許請求の範囲】
【請求項１】
前枠に取り付けられた遊技盤の前側を覆うパネル枠と遊技機に使用する球を入れる皿装置とが前枠にヒンジで開閉可能に取り付けられ、前枠が遊技設置構造体に取り付けられる外枠にヒンジで開閉可能に取り付けられた遊技機枠において、皿装置にはヒンジを逃げる切欠部が形成され、前枠の皿装置に対するヒンジの設けられた凸部には切欠部を塞ぐカバーが前枠の前側から着脱可能に取り付けられたことを特徴とする遊技機枠。
【請求項２】
凸部には凸部の前面と前枠の裏面とに貫通する挿入孔が設けられ、カバーが凸部の前面を覆い隠すカバー前壁とカバー前壁から裏側に突出する係合片とが設けられ、係合片が凸部の前側から挿入孔に挿入されて掛け止められることによって、カバー前壁の裏面が凸部の前面に接触したことを特徴とする請求項１記載の遊技機枠。
【請求項３】
凸部に取り付けられたカバーにおけるカバー前壁の前面が閉じられた皿装置の前面と連続した１つの面を構成する形状に形成されたことを特徴とする請求項１記載の遊技機枠。
【発明の詳細な説明】
【技術分野】
【０００１】
本発明は、パチンコ球のような球を遊技媒体として使用するパチンコ機やスロットマシンなどの遊技機に用いられる遊技機枠であって、遊技に使用する球を入れる皿装置の位置を下方にずらすことができる遊技機枠に関する。
【背景技術】
【０００２】
図８は、従来のパチンコ機を示す。図８において、パチンコ機は、遊技機枠１に遊技盤７１を装着する構造である。遊技機枠１は、パチンコ店の島と呼ばれる遊技設置構造体に取り付けるために額縁状に形成された外枠２に、額縁状に形成された前枠３を枠ヒンジ４で片開き可能に取り付け、前枠３の前面にパネル枠５をパネルヒンジ６で片開き可能に取り付け、前枠３の前面に皿装置７を皿ヒンジ８で片開き可能に取り付けた構造である。前枠３は、遊技盤７１を収納するための収納室９と、収納室９の下縁を形成して遊技盤７１を搭載するための盤棚１０と、盤棚１０から下方に延びた棚前壁１１とを備える。収納室９には、遊技盤７１の裏面に設けられた図外のセット板や制御装置あるいはカバーなどの裏部品を逃げるための中央開口１２を備える。棚前壁１１には、発射機構１３と配線孔１４および中継樋１５を備える。パネル枠５は、窓１７と、窓１７を塞ぐ光透過性のガラスからなるパネル１８とを有する。配線孔１４は、皿装置７に設けられた表示灯のような電気部品への配線や皿装置７に設けられた発射操作機構２８における可変抵抗器や人接触感知器などへの配線を皿装置７から前枠３の裏側に設けられた制御装置に接続するために通す孔である。中継樋１５は、払出機構から払い出された賞球または貸球としての球を前枠３から皿装置７に誘導する樋であって、球の流れる方向の下流端前面に排出孔１６を備える。つまり、中継樋１５の内部を左側から右側に流下した球は、排出孔１６を通って皿装置７における上方に開放された球貯蔵室１９に供給される。遊技盤７１の前面には、ガイドレール７４で囲まれた発射通路７２と遊技領域７３とが設けられる。遊技領域７３には、裏側に画像表示器７５の配置されたセンター飾り７６、図外の遊技釘、図外の入賞部品、図外のサイドランプ、図外の風車、アウト口７７などの前部品を備える。そして、前部品が前側に向けられるように、遊技盤７１が前枠３の収納室９に取り付けられ、パネル枠５および皿装置７が閉じられることによって、遊技盤７１がパネル枠５で覆われ、遊技盤７１のガイドレール７４と発射通路７２および遊技領域７３がパネル１８で覆われる。このパネル１８で覆われたガイドレール７４と発射通路７２および遊技領域７３は、パネル枠５の前側から窓１７およびパネル１８を通して見える。その状態において、遊技者が皿装置７の球貯蔵室１９に球を入れて発射操作機構２８を操作すると、発射機構１３が球貯蔵室１９から供給されたパチンコ球と呼ばれる球を１個ずつ発射操作機構２８の操作量に応じた発射力で発射する。この発射された球は遊技盤７１の発射通路７２を通って遊技領域７３に放出される。この放出された球は、遊技領域７３を流下する過程において、遊技釘、サイドランプ、風車などに衝突して流れる方向を変えられながら入賞部品に入賞して遊技盤７１の裏側に排出される。入賞部品に入賞しないで遊技領域７３の下部に到達した球は、アウト口７７から遊技盤７１の裏側に排出される。このようなパチンコ機において、遊技盤７１の縦横の寸法を、遊技盤２１のように大きくすることによって、遊技領域７３を広くすることが考えられる。そのようなことから、遊技機枠１の収納室９の縦横の寸法を大きくすればよいが、収納室９の縦横を大きくするために、皿装置７の縦寸法を小さくした場合、皿装置７の球貯蔵量が少なくなってしまう。皿装置７の縦寸法を変えることなく、遊技機枠１における下縁部７８の縦寸法Ｈ２を小さくし、皿装置７の位置を下側に変更した場合、皿装置７を開閉する際に皿装置７が枠ヒンジ４と干渉しないように、皿装置７に切欠部を形成する必要がある。そのため、遊技者が皿装置７の下方に球箱を入れようとした場合、遊技者の手が切欠部に配置された枠ヒンジ４に接触してしまう欠点がある。
【特許文献１】特開２００３−７９８４５号公報
【発明の開示】
【発明が解決しようとする課題】
【０００３】
発明が解決しようとする問題点は、皿装置７に枠ヒンジ４を逃げる切欠部を形成した場合、遊技者の手が枠ヒンジ４に接触する可能性があるという点である。
【課題を解決するための手段】
【０００４】
本発明に係る遊技機枠は、前枠に取り付けられた遊技盤の前側を覆うパネル枠と遊技機に使用する球を入れる皿装置とが前枠にヒンジで開閉可能に取り付けられ、前枠が遊技設置構造体に取り付けられる外枠にヒンジで開閉可能に取り付けられた遊技機枠において、皿装置にはヒンジを逃げる切欠部が形成され、前枠の皿装置に対するヒンジの設けられた凸部には切欠部を塞ぐカバーが前枠の前側から着脱可能に取り付けられたことを最も主要な特徴とする。本発明に係る遊技機枠は、凸部には凸部の前面と前枠の裏面とに貫通する挿入孔が設けられ、カバーが凸部の前面を覆い隠すカバー前壁とカバー前壁から裏側に突出する係合片とが設けられ、係合片が凸部の前側から挿入孔に挿入されて掛け止められることによって、カバー前壁の裏面が凸部の前面に接触したり、凸部に取り付けられたカバーにおけるカバー前壁の前面が閉じられた皿装置の前面と連続した１つの面を構成する形状に形成されたことも特徴とする。
【発明の効果】
【０００５】
本発明に係る遊技機枠は、縦横の大きな遊技盤を遊技機枠に取り付けるために、皿装置と前枠とを開閉可能に連結したヒンジの位置を変えることなく、皿装置の位置を下側に変更しても、切欠部が上記ヒンジを有する凸部を逃げることができ、皿装置が閉じられた場合にカバーが切欠部を塞ぐので、カバーがヒンジへの人の手の接触を適切に防ぐことができるという利点がある。本発明に係る遊技機枠は、凸部には凸部の前面と前枠の裏面とに貫通する挿入孔が設けられ、カバーが凸部の前面を覆い隠すカバー前壁とカバー前壁から裏側に突出する係合片とが設けられ、係合片が凸部の前側から挿入孔に挿入されて掛け止められることによって、カバー前壁の裏面が凸部の前面に接触すれば、凸部に取り付けられたカバーを凸部から取り外す場合、前枠の裏側から工具を挿入孔に挿入して係合片を前側に押すことによって、係合片と挿入孔との係合が解除され、カバーが凸部から取り外せるという利点がある。本発明に係る遊技機枠は、凸部に取り付けられたカバーにおけるカバー前壁の前面が閉じられた皿装置の前面と連続した１つの面を構成する形状に形成されれば、カバーが皿装置と一体となるような形状となるので、遊技設置構造体に取り付けられた外枠に対し前枠を開いた場合、カバーが設置構造体に取り付けられた隣接する遊技機枠と干渉することがない。
【発明を実施するための最良の形態】
【０００６】
図１−図５は、発明を実施するための最良の形態である。図１は、遊技機枠１と皿装置７とカバー３３とを分解した外観を示す。図２は、パネル枠５および皿装置７を開けたパチンコ機の正面を示す。図３のａ図は、カバー３３の裏側からの外観を示す。図３のｂ図は、カバー３３の前側からの外観を示す。図４は、カバー３３が取り付けられ皿装置７が閉じられた遊技機枠１の側面を示す。図５は、パチンコ機の前側からの外観を示す。この明細書において、「前」、「後」、「裏」、「左」、「右」、「上」、「下」の方向は、図５の状態に遊技機枠１を置いて前側から見た場合に特定される方向である。後と裏とは同じ方向である。
【０００７】
図２を参照し、パチンコ機について説明する。パチンコ機の遊技機枠１は、外枠２に前枠３を枠ヒンジ４で片開き可能に設け、前枠３の前面にパネル枠５をパネルヒンジ６で片開き可能に設け、前枠３の前面に皿装置７を皿ヒンジ８で片開き可能に設けた構造である。前枠３は、収納室９と盤棚１０と棚前壁１１と中央開口１２とを備え、棚前壁１１に発射機構１３と配線孔１４と中継樋１５および排出孔１６を備える。パネル枠５は、窓１７およびパネル１８を有する。皿装置７は、球貯蔵室１９を備える。遊技盤２１は、前面に発射通路２２と遊技領域２３および前部品を備える。前部品は、ガイドレール２４、裏側に画像表示器２５の配置されたセンター飾り２６、図外の遊技釘、図外の入賞部品、図外のサイドランプ、図外の風車、アウト口２７などである。
【０００８】
そして、前部品が遊技機枠１の前側に向けられるように、遊技盤２１が前枠３の収納室９に取り付けられ、パネル枠５および皿装置７が閉じられた状態において、遊技者が皿装置７の球貯蔵室１９に球を入れて発射操作機構２８を操作すると、発射機構１３が球貯蔵室１９から供給されたパチンコ球と呼ばれる球を１個ずつ発射操作機構２８の操作量に応じた発射力で発射する。この発射された球は遊技盤２１の発射通路２２を通って遊技領域２３に放出される。この放出された球は、遊技領域２３を流下する過程において、遊技釘、サイドランプ、風車などに衝突して流れる方向を変えられながら入賞部品に入賞して遊技盤２１の裏側に排出される。入賞部品に入賞しないで遊技領域２３の下部に到達した球は、アウト口２７から遊技盤２１の裏側に排出される。前枠３の右側部には、前枠３を外枠２に係合・解除するとともにパネル枠５を前枠３に係合・解除するための施錠装置２９と、皿装置７を前枠３に係合・解除するための係合解除機構３０とが設けられる。
【０００９】
図１を参照し、皿装置７の縦寸法を変えることなく、遊技機枠１における下縁部３１の縦寸法Ｈ１が小さく設定され、皿装置７の位置が下側に変更され、皿装置７を開閉する際に皿装置７が枠ヒンジ４と干渉しないように、皿装置７に切欠部３２が形成され、遊技機枠１の盤棚１０が下方にずらされ、遊技機枠１の収納室９の縦横の寸法が大きく形成され、切欠部３２を塞ぐカバー３３が前枠３に前側から着脱可能に設けられた特徴的な構造を有する。前枠３に設けられた前枠側下部皿ヒンジ３４を被覆するように、凸部３５が前枠３に設けられる。凸部３５は、棚前壁１１から前側に突出するとともに下縁部３１に連接される。凸部３５の前面と下縁部３１の前面とは、互いに平坦な１つの前面を構成する。前枠側下部皿ヒンジ３４は、凸部３５の上面に取り付けられた金属製のヒンジブラケット３６に設けられたヒンジ孔として形成される。凸部３５の下部には、枠ヒンジ４の金属製のヒンジピン３７を逃げる下部窪み５９が設けられる。凸部３５には、左右一対の挿入孔３８が、凸部３５の前面５８と棚前壁１１の裏面とにわたって貫通する形態に形成される。
【００１０】
前枠３に設けられた前枠側上部皿ヒンジ３９は、前枠３に固定された金属製のヒンジブラケット４１における上部から前側に突出した横片４２に設けられ、横片４２から下方に突出する金属製のヒンジピンとして形成される。横片４２の上部には、パネルヒンジ６を構成するヒンジピンが設けられる。
【００１１】
皿装置７に設けられた皿装置側上部皿ヒンジ４３は、皿装置７における上縁部４４を上下に貫通した金属製のヒンジブラケット４５に設けられたヒンジ孔として形成される。皿装置７に設けられた皿装置側下部皿ヒンジ４６は、皿装置７における切欠部３２の上側を区画形成する上隔壁４７に上下方向に移動可能に装着されたヒンジピンとして構成されており、上隔壁４７より上方に突出するヒンジピンの上部には、皿装置７に形成された操作孔４８から裏側に突出する操作部４９を有し、上隔壁４７と操作孔４８との間における皿装置７の内部に移動可能に保持されているヒンジピンの部分には、ヒンジピンの下端部を上隔壁４７より下方に突出する方向に付勢する金属コイルばねのような図外のヒンジ弾性体が設けられる。
【００１２】
よって、人が、皿装置７を持ち、皿装置側上部皿ヒンジ４３を前枠側上部皿ヒンジ３９に下方から挿入し、操作部４９を持ち上げて、皿装置側下部皿ヒンジ４６の下端部を前枠側下部皿ヒンジ３４の真上に位置させ、上隔壁４７の下面が凸部３５の上面に載せられた状態において、前記人による操作部４９の持ち上げを解除すると、ヒンジ弾性体によるばね力によって、皿装置側下部皿ヒンジ４６の下端部が前枠側下部皿ヒンジ３４に嵌め込まれる。
【００１３】
そして、人が、皿装置７を前枠３の方向に押し、皿装置側上部皿ヒンジ４３と前枠側上部皿ヒンジ３９とが嵌め合われた部分と、皿装置側下部皿ヒンジ４６と前枠側下部皿ヒンジ３４とが嵌め合わされた部分とを中心として、皿装置７が前枠３の方向に閉じられることによって、皿装置７の上縁部４４の裏面が前枠３の盤棚１０の前面と接触する程度にまたは接触して対向し、皿装置７の下縁部５１の裏面が前枠３の上下寸法の小さくなった下縁部３１の前面と接触する程度にまたは接触して対向し、前枠３の凸部３５が皿装置７の上隔壁４７と切欠部３２の側部を区画形成する縦隔壁５２とで囲まれて切欠部３２に配置される。皿装置７が閉じられて前枠３に係合した場合、切欠部３２に配置された前枠３の凸部３５と皿装置７の上隔壁４７と縦隔壁５２との間の隙間、皿装置７の上縁部４４の裏面と前枠３の盤棚１０の前面との間の隙間、皿装置７の下縁部５１の裏面と前枠３の下縁部３１の前面との間の隙間は、ピアノ線のような不正操作部材が前側から挿入不能な寸法になる。
【００１４】
カバー３３は、合成樹脂により、前枠３における凸部３５の前面５８を覆うカバー前壁５５とカバー前壁５５の裏面から裏側に突出した左右一対の係合片５６とが一体になった形態に、形成される。左右一対の係合片５６は、後端部から外側に突出したフック部５７を個別に備える。そして、フック部５７が、凸部３５の前側から挿入孔３８に挿入され、左右一対の係合片５６が互いに内側に撓み、フック部５７が挿入孔３８の内部に形成された図外の係合部に掛け止められるのに伴い、左右一対の係合片５６が互いに外側に復帰することによって、カバー３３が凸部３５に取り付けられ、カバー前壁５５の裏面が凸部３５の前面５８に接触して凸部３５の前面５８を全体的に覆い隠す。カバー３３のカバー前壁５５で覆われる凸部３５の前面５８は、凸部３５における枠ヒンジ４を逃げる下部窪み５９よりも上部に位置する部分である。このようにカバー３３が凸部３５に取り付けられた状態において、カバー３３を凸部３５から取り外す場合、図外のドライバーのような工具の先端を前枠３の裏側から挿入孔３８に挿入し、左右一対の係合片５６を内側に撓ませつつ前側に押すことによって、フック部５７と係合部との掛け止めが解除され、カバー３３が前枠３の前側に取り外せる。図１の符号２０は、発射機構１３における図外のハンマーで打ち出された球が飛び出す口である。
【００１５】
図３を参照し、カバー３３について説明する。図３のａ図に示すように、カバー３３のカバー前壁５５は、カバー３３の裏側から前側に窪む裏面６１と、裏面６１に沿って裏側から前側に突出する前面６２とからなる弧状の板状である。カバー前壁５５には、カバー前壁５５の上部からカバー３３の裏側における窪みを塞ぐ上壁６３が設けられる。上壁６３には逃部６４が上壁６３の裏面から前側に窪む形態に設けられる。カバー３３が凸部３５に取り付けられる場合、逃部６４は、図１に示す前枠側下部皿ヒンジ３４の凸部３５よりも前側に突出した部分を逃げる窪みである。図３のｂ図に示すように、カバー３３のカバー前壁５５における前面６２は、左右から中央に行くにしたがって前側に突出する斜面として形成される。
【００１６】
図２に戻り、前述したように、皿装置側上部皿ヒンジ４３と前枠側上部皿ヒンジ３９とが嵌め合わされ、皿装置側下部皿ヒンジ４６と前枠側下部皿ヒンジ３４とが嵌め合わされて、皿装置７が前枠３に取り付けられる一方、カバー３３の係合片５６が凸部３５の挿入孔３８に前枠３の前側から取り付けられる。その状態において、皿装置７が閉じられると、パチンコ機が図５に示すように構成される。
【００１７】
図５において、前枠３とパネル枠５および皿装置７が閉じられると、皿装置７の左側面６５と凸部３５の左側面６６とが上下に連続した１つの面を構成する。カバー３３が前枠３に取り付けられたことによって、カバー３３が皿装置７の切欠部３２を塞ぎ、カバー前壁５５の前面６２が皿装置７における斜面６７および前面６８のそれぞれに連続した１つの面を構成する。その状態において、パチンコ機のカバー３３の周りを側面から見ると、図４に示すようになっている。
【００１８】
図４において、カバー３３は、枠ヒンジ４のヒンジピン３７よりも上方で枠ヒンジ４のヒンジピン３７に近接配置されており、カバー前壁５５の前面６２が枠ヒンジ４のヒンジピン３７よりも前側に位置している。つまり、カバー３３がヒンジピン３７に対する庇を構成する。
【００１９】
最良の形態によれば、図８に示す遊技盤７１よりも縦横の大きな遊技盤２１を遊技機枠１の収納室９に取り付ける構造のパチンコ機において、図２に示す盤棚１０の位置を図８に示す盤棚１０よりも下方に設け、図２に示す収納室９の縦横を図８に示す収納室９の縦横よりも大きくし、図２に示す皿装置７を図８の皿装置７と同じものを用い、皿装置７の位置を下方にずらす一方、前枠３の図２に示す下縁部３１の縦寸法（厚さまたは上下寸法と同義語）Ｈ１を図８に示す下縁部７８の縦寸法（厚さまたは上下寸法と同義語）Ｈ２よりも小さくし、皿装置７が閉じられた場合に、皿装置７が下縁部３１を全体的に覆い隠すように下縁部３１の前側に配置される。このようなことから、前枠側下部皿ヒンジ３４の位置も下に設けなければならないが、前枠側下部皿ヒンジ３４を下にずらして設けると、前枠側下部皿ヒンジ３４が枠ヒンジ４およびヒンジピン３７と干渉してしまうので、前枠側下部皿ヒンジ３４を下方にずらすことはできない。
【００２０】
このため、前枠側下部皿ヒンジ３４の位置は、図８に示す遊技機枠１と同じ位置関係に構成する。したがって、皿装置７に切欠部３２を形成し、切欠部３２が凸部３５を逃げるようにした。このようなことから、皿装置７を閉じた場合、ヒンジピン３７が切欠部３２に露出され、切欠部３２より前側に突出してしまう。このようにヒンジピン３７が切欠部３２よりも前側に突出したままであると、例えば、遊技者が、皿装置７から球を取り出すために、皿装置７から排出される球を受け取る球箱を皿装置７の下方に入れようとした場合、遊技者の手がヒンジピン３７に接触する可能性がある。
【００２１】
これを防ぐために、凸部３５に左右一対の挿入孔３８を設け、この挿入孔３８を利用してカバー３３を凸部３５の前に設けることによって、カバー３３が切欠部３２を塞ぎ、カバー前壁５５の前面６２が、閉じられた皿装置７の斜面６７および前面６８と連続した１つの面を構成し、カバー３３がヒンジピン３７に対する庇を構成する。これによって、遊技者の手が遊技機枠１の前側からヒンジピン３７に近付いたとしても、カバー３３が当該ヒンジピン３７への人の手の接触を適切に防ぐことができる。
【００２２】
カバー前壁５５の前面６２は、パチンコ機の遊技者に訴える見栄えの関係から、皿装置７の前面６８との意匠的に強いつながりを持たせるのがよい。よって、遊技機枠１から古い皿装置７を取り外し、皿装置７の前面６８が新しい意匠形態に構成された皿装置７を、遊技機枠１に取り付ける場合、遊技機枠１から古いカバー３３を取り外し、カバー前壁５５の前面６２も皿装置７の前面６８の新しい意匠形態と意匠的に強いつながりを持つ新しい意匠形態に構成されたカバー３３を、遊技機枠１に取り付ける必要がある。このようなことから、古いカバー３３を遊技機枠１から取り外す場合、凸部３５に設けられた挿入孔３８が凸部３５の前面５８と前枠３の裏面とにわたって貫通しているので、前枠３の裏側からドライバーのような工具でカバー３３を前枠３の前側に押し出すように取り外すことができるという利点がある。
【００２３】
皿装置７が閉じられて前枠３に係合されると、カバー前壁５５の前面６２が皿装置７における斜面６７および前面６８のそれぞれに連続した１つの面を構成するので、カバー３３が皿装置７と一体となるような形状となり、図外の遊技設置構造体に取り付けられた外枠２に対し前枠３を開いた場合、カバー３３が設置構造体に取り付けられた隣接する図外の遊技機枠と干渉することがない。その理由は、パチンコ店のような遊技店において、複数の遊技機枠１が遊技設置構造体に隣り合わせに設置され、その状態において、個々の遊技機枠１の保守のために、遊技店の人が皿装置７を前側に開ける場合、開ける皿装置７が隣接する遊技機枠１における閉じられた皿装置７や発射操作機構２８に干渉しないような形状になっているからである。
【産業上の利用可能性】
【００２４】
図６および図７は、他の形態である。図６は、ヒンジ覆部８１の連接されたカバー３３を遊技機枠１に取り付けるとともに皿装置７を閉じた外観を示す。図７は、ヒンジ覆部８１の連接されたカバー３３の外観を裏側から示す。図７において、ヒンジ覆部８１は、合成樹脂により、カバー３３と一体に構成されており、カバー３３が図６に示す凸部３５に取り付けられた場合、枠ヒンジ４における前枠３と一緒に動くヒンジ構成部材８２とヒンジピン３７との側部および前側を覆うように、ヒンジ覆部８１の裏面から前側に板状に膨出した形態である。このように、カバー３３にヒンジ覆部８１が設けられることによって、枠ヒンジ４の周りの意匠の向上はもとより、人の手が枠ヒンジ４とヒンジピン３７とに接触しないようにすることができるという利点がある。また、図示は省略するが、ヒンジ覆部８１は、前枠３と一緒に動くヒンジ構成部材８２よりも上方に位置し、ヒンジピン３７を覆う構造であってもよい。
【００２５】
遊技媒体としてパチンコ球のような球を用いるスロットマシンの遊技機枠にも適用できる。
【図面の簡単な説明】
【００２６】
【図１】遊技機枠と皿装置とカバーとを示す分解斜視図（最良の形態）。
【図２】パネル枠と皿装置とを開けたパチンコ機を示す正面図（最良の形態）。
【図３】ａ図はカバーの裏斜視図、ｂ図はカバーの前斜視図（最良の形態）。
【図４】カバーと皿装置とを備えた遊技機枠を示す側面図（最良の形態）。
【図５】パチンコ機を示す前斜視図（最良の形態）。
【図６】パチンコ機のカバー周りを示す前斜視図（他の形態）。
【図７】カバーを示す裏斜視図（他の形態）。
【図８】パネル枠と皿装置とを開けたパチンコ機を示す正面図（従来例）。
【符号の説明】
【００２７】
１  遊技機枠、２  外枠、３  前枠、４  枠ヒンジ（ヒンジ）、５  パネル枠、
７  皿装置、８  皿ヒンジ（ヒンジ）、２１  遊技盤、３２  切欠部、
３３  カバー、３４  前枠側下部皿ヒンジ（ヒンジ）、３５  凸部、３８  挿入孔、
５５  カバー前壁、５６  係合片、５８  凸部の前面、６１  カバー前壁の裏面、
６２  カバー前壁の前面、６８  皿装置の前面。
【図１】
2005348787.tif 000003
【図２】
2005348787.tif 000004
【図３】
2005348787.tif 000005
【図４】
2005348787.tif 000006
【図５】
2005348787.tif 000007
【図６】
2005348787.tif 000008
【図７】
2005348787.tif 000009
【図８】
2005348787.tif 000010